(57)【特許請求の範囲】
【請求項１】
第１の種類の物質を収納するための貯蔵空間を有し、その上端部に一体に頚部を形成し、前記頚部の内部に前記貯蔵空間に連通する開口部が形成され、前記頚部の外周面に環状のリブを形成する容器本体と、
前記容器本体の前記開口部を封止するように前記容器本体の前記頚部に着脱自在に設けられるとともに、環状体と前記環状体の一端部をカバーする蓋体とを備えるキャップ部材と、
第２の種類の物質を前記キャップ部材の内部に収納して封止し、前記容器本体の前記頚部に沿って軸方向に前記キャップ部材と一体的に移動し、前記容器本体の前記頚部とともに前記容器本体の前記貯蔵空間を封止し、且つ、前記環状体の内壁面と、前記蓋体の底面と、前記環状体の内壁面に周着するシーリングフィルムとからなる封止ユニットと、
前記キャップ部材に設けられ、前記封止ユニットと結合して前記第２の種類の物質を前記封止ユニットから放出する切開手段と、
前記キャップ部材の底部と前記容器本体の前記頚部の環状リブとの間に分離可能に設けられるカラーと、
を備え、
前記容器本体の前記頚部には、さらに前記頚部の上端面から上向きに突設する少なくとも１つの環状の突起部を有し、
前記キャップ部材を前記容器本体の前記頚部に取り付けた後、前記突起部が前記封止ユニットの前記シーリングフィルムに当接することにより前記容器本体の前記貯蔵空間をシールする
ことを特徴とする複数種類の異なる物質を分離収納する容器デバイス。
【請求項２】
前記シーリングフィルムは、フレキシブルな可伸長材料で構成される
ことを特徴とする請求項１に記載の容器デバイス。
【請求項３】
前記シーリングフィルムは、アルミ合金製である
ことを特徴とする請求項２に記載の容器デバイス。
【請求項４】
前記カラーの厚さは、前記キャップ部材を前記容器本体の前記頚部に確実に取り付けた状態で、このカラーにより前記封止ユニットの前記シーリングフィルムを前記切開手段から離れて保持しうるように設定される
ことを特徴とする請求項１に記載の容器デバイス。
【請求項５】
前記キャップ部材を下向きに３６０゜以下に回転をすることで、前記切開手段により前記シーリングフィルムが前記封止ユニットから完全に切除されることを回避する
ことを特徴とする請求項１に記載の容器デバイス。
【請求項６】
第１の種類の物質を収納するための貯蔵空間を有するとともにその上端部に一体に頚部を形成し、前記頚部の内部に前記貯蔵空間に連通する開口部が画成され、前記頚部の外周面に環状のリブを形成する容器本体と、
前記容器本体の前記開口部を封止するように前記容器本体の前記頚部に着脱自在に設けられるキャップ部材と、
第２の種類の物質を前記キャップ部材の内部に収納して封止するようにし、前記キャップ部材と一体的に前記容器本体の前記頚部に沿って軸方向に移動する封止ユニットと、
前記第２の種類の物質を前記封止ユニットから放出するために前記容器本体の前記頚部の前記開口部に取り付けられ、前記頚部の前記開口部と連通して前記第１の種類の物質の通過に供する通路を有し、前記封止ユニットとともに前記容器本体の前記貯蔵空間をシールして漏れを防止する切開手段と、
前記キャップ部材の底部と前記容器本体の前記頚部の環状リブとの間に分離可能に設けられるカラーと、
を備えるとともに、
前記封止ユニットを弾性物で構成し、外突形状の環状本体の一端を前記キャップ部材の内部上端面に当接させ、他端をシーリングフィルムで封止して、前記第２の種類の物質を前記封止ユニット内に封止し、
前記切開手段は、前記頚部の前記開口部に当該切開手段を保持する外筒体と、前記第２の物質を前記封止ユニットから放出するように前記外筒体にこれと同軸状に且つ連通するように内設された内筒体とを含み、
前記封止ユニットは、前記キャップ部材の移動と一体的に前記内筒体内を同軸に移動するとともに前記内筒体と当接する際に切開される
ことを特徴とする複数種類の異なる物質を分離収納する容器デバイス。
【請求項７】
第１の種類の物質を収納するための貯蔵空間を有するとともにその上端部に一体に頚部を形成し、前記頚部の内部に前記貯蔵空間に連通する開口部が画成され、前記頚部の外周面に環状のリブを形成する容器本体と、
前記容器本体の前記開口部を封止するように前記容器本体の前記頚部に着脱自在に設けられるキャップ部材と、
第２の種類の物質を前記キャップ部材の内部に収納して封止するようにし、前記キャップ部材と一体的に前記容器本体の前記頚部に沿って軸方向に移動する封止ユニットと、
前記第２の種類の物質を前記封止ユニットから放出するために前記容器本体の前記頚部の前記開口部に取り付けられ、前記頚部の前記開口部と連通して前記第１の種類の物質の通過に供する通路を有し、前記封止ユニットとともに前記容器本体の前記貯蔵空間をシールして漏れを防止する切開手段と、
前記キャップ部材の底部と前記容器本体の前記頚部の環状リブとの間に分離可能に設けられるカラーと、
を備えるとともに、
前記封止ユニットを弾性物で構成し、外突形状の環状本体に上端部と下端部を備え、内部蓋体を上端部に連結し、シーリングフィルムを下端部に貼り付け、
前記切開手段は、前記頚部の前記開口部に当該切開手段を保持する外筒体と、前記第２の物質を前記封止ユニットから放出するように前記外筒体にこれと同軸状に且つ連通するように内設された内筒体とを含み、
前記封止ユニットは前記キャップ部材の移動と一体的に前記内筒体内を同軸に移動するとともに前記内筒体と当接する際に切開される
ことを特徴とする複数種類の異なる物質を分離収納する容器デバイス。
【請求項８】
前記封止ユニットを、前記キャップ部材の内部上端面に前記内部蓋体で粘着して前記キャップ部材に取り付ける
ことを特徴とする請求項７に記載の容器デバイス。
【請求項９】
前記内筒体にチップと切断エッジを形成して第２の種類の物質を前記封止ユニットから放出させる
ことを特徴とする請求項６または７に記載の容器デバイス。
【請求項１０】
前記シーリングフィルムは、フレキシブルな可伸長材料で製造される
ことを特徴とする請求項６または７に記載の容器デバイス。
【請求項１１】
前記シーリングフィルムが、アルミ合金である
ことを特徴とする請求項１０に記載の容器デバイス。
【請求項１２】
前記外筒体の直径を前記環状本体の直径より小さくすることで、前記キャップ部材が容器本体の頚部に取り付けた状態で前記環状本体が前記外筒体によって内向きにプレスされて変形し、
また、前記キャップ部材の下向き移動により、前記内筒体が前記封止ユニットの前記シーリングフィルムの切開を行う
ことを特徴とする請求項６または７に記載の容器デバイス。
【請求項１３】
前記カラーの厚さは、前記キャップ部材を前記容器本体の前記頚部に取り付けた状態で、確実に前記封止ユニットの前記シーリングフィルムを前記切開手段の前記内筒体から離れて保持しうるように設定される
ことを特徴とする請求項６または７に記載の容器デバイス。
【請求項１４】
前記キャップ部材を３６０゜以下の最大限に下向き回転をすることで、前記封止ユニットの前記シーリングフィルムが前記切開手段の前記内筒体で完全に切除されることを回避する
ことを特徴とする請求項６または７に記載の容器デバイス。
【発明の詳細な説明】
【０００１】
【発明の属する技術分野】
本発明は容器デバイスに関し、具体的には１つの種類の物質を装填した容器本体と、前記容器本体の開口部を開閉自在に封止するとともに他の種類の物質を保持するキャップとを有し、前記容器本体に装填した前記１つの種類の物質と前記キャップ内に収納した他の種類の物質とを分離して収納封止を行う複数の異なる種類の物質を分離収納する容器デバイスに関する。
【０００２】
【従来技術】
通常、飲み物やソフトドリンクなどの提供は、タブレット状の溶質と溶液とを分離、すなわちセパレートして供給する傾向がある。換言すれば、前記タブレット溶質を前記溶液に投入し、または混入して飲用液を構成し、個人の飲用に提供することとなる。前記タブレット溶質を前記容器から分離した状態で保存する理由は、飲用可能な液体が貯蔵状態や用意した飲用状態では不適当であり、また溶質に対して周囲の環境、例えば、湿気と空気による不安定状態などがあることから、前記溶質を予め容器デバイス内に気密にシールして飲用の直前に前記溶液に投入または混入することにある。
【０００３】
【発明が解決しようとする課題】
前記溶質の保護、封止に用いる従来の容器デバイスは２種類あり、典型的な１つは、溶液を収納する主容器と、溶質を保持する補助容器とからなる。しかし、この容器デバイスは、それぞれ主容器および補助容器をオープンして、前記溶質を前記溶液に混入して飲用液に仕上げる場合、容器毎に開けるような独立の動作による複雑な操作を必要とするために不便でもある。
【０００４】
他の従来の容器デバイスの形態は、溶液部分を収納する貯蔵空間としての容器本体と、この容器本体と一体にされ、プラグアセンブリの挿入に供される開口部とを含む。前記プラグアセンブリは、ガイドスリーブを有するプラグ体と、上端部からスライド可能に前記ガイドスリーブに挿入される薄板状の切削部材を備える。前記ガイドスリーブは前記プラグ体と一体に形成された前記ガイドスリーブの上端部と、シーリングフィルムで被された前記ガイドスリーブの内部に溶質を保持する下端部とで形成される。前記薄板状の切削部材が前記ガイドスリーブを気密に封止することにより前記ガイドスリーブに収納した前記溶質を外気との接触から保護する。
【０００５】
使用時には、まずユーザーが薄板状の切削部材を保護するための保護蓋を容器本体から除き、前記薄板状の切削部材を押し下げ、前記シーリングフィルムを切削して前記ガイドスリーブの下端部を開放し、前記ガイドスリーブから前記溶質を容器本体内の前記容器に落入または混入させた後、前記プラグアセンブリを容器本体から取り除き、前記容器内に用意された飲用液を飲用する。この形態に基づく容器デバイスは、飲用液の飲用に３つのステップの操作が要求されるために不便である。
【０００６】
前記の課題を解決するために、本発明は従来技術に比べて構造が簡単であって、操作が容易である容器デバイスを提供することにより、第２の種類の物質をキャップ部材内に収納し、このキャップ部材に対応する容器本体に第１の種類の物質を充填し、第１と第２の種類の物質を元よりセパレートして収納する状態にする。使用の際にして始めて第１と第２の種類の物質を接触させることにより、第２の物質および第１の物質の品質保持を確実に行うことを目的とする。
【０００７】
【課題を解決するための手段】
前記目的に基づく、本発明の容器デバイスは、中空の容器本体に頚部を一体に構成し、頚部にこれを貫通して第１の物質を収納するための容器本体内の貯蔵空間に連通する開口部を設け、前記頚部の外側面に環状リブを画成する。
【０００８】
キャップ部材は、再閉鎖可能なように容器の頚部に連結して開口部を封止する。
【０００９】
前記キャップ部材内に第２の物質を収納し、前記キャップ部材が手動によって、前記容器の頚部の軸方向に沿って移動する時、封止ユニットは、同時に移動して、付加した切開手段により切開され、前記第２の物質を前記封止ユニットから放出する。
【００１０】
なお、カラーが前記キャップ部材の底面部に脱離可能に貼付され、前記カラーを前記キャップ部材から取り外した後、前記キャップ部材を、封止ユニットが切開手段から離れた上位置から前記キャップ部材の底部が前記頚部の環状リブに当接する下位置に移動して、前記封止ユニットを切開手段で切除する。
【００１１】
本発明の他の実施の形態では、前記キャップ部材の内壁面に貼着されたシーリングフィルムと、前記キャップ部材の内壁周囲面と、前記キャップ部材の側壁に連接する内壁底面とにより前記封止ユニットを形成し、第２の物質を前記封止ユニットにカプセル状に封入して外囲環境から隔離する。
【００１２】
前記封止ユニットは、前記頚部の上端面に画成した少なくとも１つの環状突起部と協働して、容器本体の開口部を封止することにより漏れの防止を行う。
【００１３】
前記環状突起部は、前記キャップ部材を容器本体の頚部に取り付け、キャップ部材の底面に隣設する前記カラーが環状リブに当接して封止ユニットのシーリングフィルムを突き上げ、前記シーリングフィルムの平面形状を凸面状態とすることにより、容器内に収納した第１の物質の漏れを防ぐ。
【００１４】
なお、本発明の実施の形態に基づくさらに別の実施の形態では、封止ユニットに下向きの開口を持つ内室を有し、シーリングフィルムで前記下向きの開口部を封止し、前記内室の内壁とシーリングフィルムとで閉鎖空間を形成して、第２の物質を収納する。前記第２の物質は、前記内室に充填され、下向きの開口部をシーリングフィルムで封止する。
【００１５】
本実施の形態におけるキャップ部材内への封止ユニットの取り付けは、伝統的な結合法、超音波溶着法、エンゲージング法などを用い、前記封止ユニットを確実にキャップ部材内に結合させる。
【００１６】
前記キャップ部材が容器本体の頚部に取り付けられ、キャップ部材の底面に隣接するカラーが環状リブに当接すると、前記頚部の上端面の環状突起部が、前記封止ユニットのシーリングフィルムに当接して上向きに押し上げ、前記容器本体の開口部を封止して漏れを防ぐ。
【００１７】
なお、本発明における更なる実施の形態の封止ユニットの内室は、上端部と下端部とを備える外突形状のカーブをもつフレキシブル環状容器で構成され、封止用基板を上端部に連結して前記フレキシブル環状容器を封止する。
【００１８】
前記フレキシブル環状容器の下端部は、シーリングフィルムで封止され、前記封止用基板と前記フレキシブル環状容器を前記上端部において封止する。
【００１９】
前記フレキシブル環状容器の下端部は、シーリングフィルムで封止され、前記基板と前記フレキシブル環状容器とシーリングフィルムとで定義される閉鎖空間に第２の物質を収納する。
【００２０】
前記封止ユニットを前記キャップ部材とともに容器本体の頚部に取り付けると、前記封止ユニットが容器本体の開口部に挿入され、前記フレキシブル環状容器が容器本体の頚部で内向きに圧縮されて前記容器本体の開口部を封止することにより漏れを防ぐ。
【００２１】
前記第１の物質および前記第２の物質は、ガス体、液体または固体の形態で存在し、前記第２の物質は化学的反応または物理的反応によって第１の物質に混入される。
【００２２】
前記特徴や利点およびその他の特徴や利点は、添付の図面による以下の詳細な説明により更に明確化されるであろう。なお、本発明は以下の各実施の形態に限定されるものではない。
【００２３】
【発明の実施の形態】
本発明に係る容器デバイスについて好適な実施の形態を例示し、添付図面に基づいて以下詳細に説明する。
【００２４】
図１または図２は本発明の容器デバイスに係る第１の実施の形態を示す。前記容器デバイスは、容器本体３と前記容器本体３に螺合する装着自在のキャップ体４を含み、前記容器本体３は典型的な円筒形状の成形品の上端に頚部３１を一体に成形してなる。
【００２５】
前記頚部３１の外側面を第１の螺旋状部３１１に画成し、前記外側面の内面に開口部３１０を構成し、この開口部３１０は前記容器本体３の内壁で構成され溶液５を収納する貯蔵空間３００に連通する。
【００２６】
なお、頚部３１の外側面において前記第１の螺旋状部３１１の真下に環状リブ３１２を一体成形で構成するとともに、頚部３１の上端面３１３に上向きの環状突起３１４を形成する。前記環状突起３１４は、単一または複数の同心円からなり、簡単な円あるいは波形状の円などで前記上端面３１３に構成することができる。
【００２７】
前記キャップ体４は、環状本体４０に上端面４００を有し、前記上端面４００の反対側に下端面４０２と内面部４０１を画成する。環状本体４０の上端面４００には、前記環状本体４０の一端を閉鎖する蓋部４１を設け、その底面部に切開部材４２を環状本体４０の下端面４０２へ向くように設ける。
【００２８】
なお、前記環状本体４０の内面部４０１に第２の螺旋状部４３を形成し、キャップ体４を回動することによって、前記キャップ体４を容器本体３の頚部３１の前記第１の螺旋状部３１１に係合して固定する。
【００２９】
シーリングフィルム４４は、例えばアルミ合金などのフレキシブルな可伸長性材料を用い、環状本体４０の内面部４０１の第２の螺旋状部４３より上の周囲面に貼着され、前記シーリングフィルム４４と、前記内面部４０１および前記蓋部４１の底面とで気密封止ユニットを形成することにより溶質６を封止する気密室（密閉空間）４６を構成して外側からの汚染、例えば湿気或いは空気などの侵入を防ぐ。
【００３０】
カラー４５は、前記キャップ体４を容器本体３に取り付けた後、前記環状本体４０の下端面４０２と前記頚部３１の前記環状リブ３１２の間に分離可能に貼付される。前記カラー４５の厚さＬは、前記キャップ体４を当該カラー４５を介して確実に前記容器本体３に取り付けた時、切開部材４２のチップ４２０が前記シーリングフィルム４４から僅かな隙間を許容する程度で設定される。すなわち、カラー４５をキャップ体４から取り除いた後、前記キャップ体４を最大角度３６０゜以下に回転して、前記切開部材４２によって前記シーリングフィルム４４が完全に前記環状本体４０から切断されることを防止することができる。
【００３１】
以下に前記キャップ体４および前記容器本体３間の結合関係を詳述する。
【００３２】
図２の如く、回転自在に取り付けられた前記キャップ体４は、前記カラー４５を介して前記容器本体３の頚部３１の前記環状リブ３１２に当接し、前記容器本体３の頚部３１の上端面３１３に形成された上向き環状突起３１４で前記シーリングフィルム４４を突上げて変形させ、平面状の表面を外凸形にする。
【００３３】
以上の構成により、前記頚部３１の前記開口部３１０をシーリングフィルム４４で液密に封止し、前記シーリングフィルム４４は、容器本体３の前記貯蔵空間３００に収容する溶液５が、頚部３１の前記開口部３１０を経て容器本体３外へ液漏れするのを防ぐ。
【００３４】
この場合、前記切開部材４２のチップ４２０は、前記シーリングフィルム４４と一定の所要間隔を保ち、前記溶質６を密閉空間４６に気密に封止し、さらに、前記カラー４５を所要位置に保持することによって、前記キャップ体４が下向きに前記環状リブ３１２へ進むことを防ぐ。
【００３５】
前記切開部材４２には、チップ４２０が末端に画成され、その一側面にカッチングエッジ４２１が形成される。
【００３６】
前記カラー４５を取り除き、前記キャップ体４を時計方向に回動して前記環状リブ３１２に近づけると、図３が示すように、前記キャップ体４の下向き移動に伴って、前記切開部材４２の前記チップ４２０が同時に降下して、前記シーリングフィルム４４を突き抜き、切開部材４２の前記カッチングエッジ４２１で、前記頚部３１の前記環状突起３１４によって形成された外突形の前記シーリングフィルム４４を切り裂き、前記キャップ体４の回転をさらに続けることにより、図４が示すように、前記密閉空間４６から前記溶質６が前記開口部３１０を経て、前記容器本体３の貯蔵空間３００に自重で落下する通過経路を前記シーリングフィルム４４に形成し、その結果、前記溶質６が落下して前記溶液に溶解し、消費者が飲める飲用液となる。
【００３７】
前記キャップ体４の末端部の下向き移動において、前記頚部３１の環状リブ３１２を前記環状本体４０の下端面４０２に当接した時、前記切開部材４２での前記シーリングフィルム４４の切開が停止する。前記キャップ体４の下降距離は、前記カラー４５の厚さＬに相当し、且つそれに基づいて前記キャップ体４が３６０゜以下の回転になるように設定することにより、前記切開部材４２の前記シーリングフィルム４４に対する切開は制限され、その結果、図４に示すように、前記シーリングフィルム４４の一部分が前記環状本体４０の内面部４０１に貼着したままで残留して、容器本体３の前記貯蔵空間３００に落下することがない。落下した前記溶質６が前記溶液に溶解して消費者が飲める飲用液になる。飲用する場合は、前記キャップ体４を上向きの反時計方向に回転して容器本体３の前記頚部３１から取り外し、頚部３１の開口部３１０から飲み干す。
【００３８】
図５および図６は、本発明の第２の実施の形態の容器デバイスのキャップ体部分の要部を示す縦断面図である。
【００３９】
本発明の第２の実施の形態において、キャップ体の構造以外は、前記第１の実施の形態と同じであるため、容器本体の詳細な説明を省略する。
【００４０】
図５に示すキャップ体４ａは、内面部４０１ａと下端面４０２ａとを有する環状本体４０ａと、前記環状本体４０ａの上端に固定して前記環状本体４０ａの一端を閉鎖する蓋部４１ａとを設けてある。前記環状本体４０ａ、内面部４０１ａの下方に第２の螺旋状部４３ａを形成し、容器本体３に構成された第１の螺旋状部（図示しない）に螺合して容器本体３に前記キャップ体４ａが取り付けられる。なお、前記第２の螺旋状部４３ａの環状溝部４０３ａを前記内面部４０１ａの上方に環状に画成する。これにより気密封止ユニット４７ａを前記キャップ体４ａの内部に組み込むことが可能である。気密封止ユニット４７ａに内部環状体４７０ａを設ける。内蓋４７１ａは前記内部環状体４７０ａの上端部に取り付けられ、シーリングフィルム４７２ａを前記内部環状体４７０ａの底端部に貼付する。切開部材４７３ａを前記内蓋４７１ａの底部表面に結合する。前記内蓋４７１ａと、前記シーリングフィルム４７２ａと、前記内部環状体４７０ａの内壁との組み合わせにより溶質６を気密に封止する気密室４７４ａを形成して、前記溶質６を周囲から保持する。なお、前記内部環状体４７０ａの外壁に環状係合突起４７５ａを画成し、前記環状本体４０ａの前記溝部４０３ａと確実に係合させることにより、前記気密封止ユニット４７ａは、図６に示すように、前記キャップ体４ａに結合される。
【００４１】
図７および図８は、本発明の第３の実施の形態の容器デバイスの一部を示す縦断面図である。
【００４２】
本発明の第３の実施の形態における容器デバイスは、切開機構２ｂと、前記切開機構２ｂを収容する容器本体３ｂおよび回転自在に前記容器本体３ｂに取り付けられるキャップ体４ｂを含む。
【００４３】
前記切開機構２ｂは、外筒体２１ｂと、同軸状に前記外筒体２１ｂ内に収納される内筒体２２ｂおよび通路２２１ｂで形成する。フランジ２１１ｂは、前記外筒体２１ｂの上端部に外向きに一体画成される。外筒体２１ｂおよび内筒体２２ｂの底端部を連結し、流体の通過を許容する複数孔２３１ｂを備えた底蓋２３ｂを設ける。また、前記内筒体２２ｂに切開機能を付与するため、前記内筒体２２ｂにチップ２２２ｂを形成するとともに、周囲のエッジ２２３ｂを尖らせる。
【００４４】
前記容器本体３ｂは、頚部３１ｂを上端部に一体に形成し、前記頚部３１ｂに、上端面３１３ｂと、筒状外面部に設けた第１の螺旋状部３１１ｂと、筒状内面部に画成して前記容器本体３ｂの内壁によって規制された溶液５ｂを収容する貯蔵空間３００ｂに連通する開口部３１０ｂとを設けてある。また、前記頚部３１ｂの外側面の前記第１の螺旋状部３１１ｂの真下に環状リブ３１２ｂを一体に形成する。
【００４５】
前記切開機構２ｂは、前記頚部３１ｂの前記開口部３１０ｂ内に収納され、前記フランジ２１１ｂを上端面３１３ｂに当接し、前記切開機構２ｂを保持して、前記切開機構２ｂの前記通路２２１ｂを前記開口部３１０ｂに連通している。
【００４６】
前記キャップ体４ｂは、上端部４００ｂを備える環状本体４０ｂと、内面部４０１ｂと、上端部４００ｂに対向する下端部４０２ｂと、前記下端部４０２ｂに固定して前記環状本体４０ｂの一端を閉鎖する蓋部４１ｂと、前記蓋部４１ｂの底面部に取り付けて溶質６ｂを封止する封止機構４２ｂなどを含む。
【００４７】
前記封止機構４２ｂは、外側に湾曲して弾性を有する環状体４２１ｂの一端を、例えば、粘着などの種々の従来の方法によって前記蓋部４１ｂに取り付け、他端をシーリングフィルム４２２ｂで封止する。
【００４８】
溶質６ｂを収納する気密室４２３ｂは、前記環状体４２１ｂと、前記シーリングフィルム４２２ｂと、前記蓋部４１ｂとで構成され、外向きに湾曲した環状体４２１ｂの底端部の径を内筒体２２ｂより大径にするとともに、外筒体２１ｂより小径にする。前記環状体４２１ｂの中間径は、前記外筒体２１ｂの直径よりも大径に設定することにより、前記封止機構４２ｂの前記環状体４２１ｂが、前記外筒体２１ｂの内壁２１２ｂの内向力に対抗して近辺を液密状態にし、容器本体３ｂの溶液５ｂの漏れを防止する。
【００４９】
回転自在なキャップ体４ｂを前記容器本体３ｂに取り付けた場合、前記環状本体４０ｂの下端部４０２ｂと環状リブ３１２ｂ間にカラー４５ｂを着脱自在に設けて、カラー４５ｂの厚さで内筒体２２ｂ内の前記チップ２２２ｂが前記封止機構４２ｂの前記シーリングフィルム４２２ｂに接触することを防ぐ。
【００５０】
前記カラー４５ｂを剥離した時、前記キャップ体４ｂの最大下降距離が前記カラー４５ｂの厚さに一致することにより、前記封止機構４２ｂの前記シーリングフィルム４２２ｂの切断はなく、前記回転自在なキャップ体４ｂが前記容器本体３ｂに取り付けられる時、前記環状本体４０ｂの内面部４０１ｂにおいて、前記第２の螺旋状部４３ｂと前記第１の螺旋状部３１１ｂを螺合する。
【００５１】
前記カラー４５ｂが剥離されると前記キャップ体４ｂの下降が可能になり、前記キャップ体４ｂは、時計方向に沿った回転作動で下向きに移動して、前記シーリングフィルム４２２ｂを前記内筒体２２ｂの前記チップ２２２ｂに接近させる。なお、継続的に回転すれば前記キャップ体４ｂが下降して、前記チップ２２２ｂが前記シーリングフィルム４２２ｂを突き抜き、操作に伴って前記シーリングフィルム４２２ｂを前記内筒体２２ｂの前記周囲のエッジ２２３ｂで切り裂く。この場合、前記シーリングフィルム４２２ｂが前記溶質６ｂの重力落下に必要な広さに形成されると、前記溶質６ｂが前記封止機構４２ｂから前記貯蔵空間３００ｂへ落下して溶解される。
【００５２】
前記キャップ体４ｂの下降移動は、前記キャップ体４ｂの下端部４０２ｂが前記容器本体３ｂの環状リブ３１２ｂに近接して停止する。前記キャップ体４ｂの下降回転角度は、３６０゜以内に規制され、前記シーリングフィルム４２２ｂは前記封止機構４２ｂから完全に切断されず、その一部分が前記環状体４２１ｂに貼着されて前記シーリングフィルム４２２ｂが前記貯蔵空間３００ｂに落下することを防ぐ。
【００５３】
図９および図１０は、本発明の第４の実施の形態における容器デバイスのキャップ体の要部を示す縦断面図である。
【００５４】
本発明の第４の実施の形態における容器デバイスは、そのキャップ体以外の構造は、前記第３の実施の形態で記述した状態と同一である故、容器本体の詳細な説明を省略する。
【００５５】
キャップ体４ｃの第４の実施の形態は、環状本体４０ｃの内面部４０１ｃに、封止機構４２ｃの弾性を備えた外向き湾曲状環状体４２１ｃの上端部を閉鎖するための内蓋４２４ｃの周辺４２４０ｃに係合する環状溝部４０３ｃを第２の螺旋状部４３ｃの上方に形成する。
【００５６】
気密室４２３ｃは、前記環状体４２１ｃと、前記内蓋４２４ｃと、前記環状体４２１ｃの底端部を封止する前記シーリングフィルム４２２ｃとで構成されて溶質６ｃの気密封止を行う。
【図面の簡単な説明】
【図１】本発明の第１の実施の形態に係る容器デバイスにおいて、キャップ体が容器本体から離脱した状態を示す要部縦断面図である。
【図２】図１に示す容器デバイスにおいて、キャップ体を容器本体に螺合して取り付けた状態の要部縦断面図である。
【図３】図２に示す容器デバイスにおいて、カラーをキャップ体から離脱させてからキャップ体をさらに下向きに９０゜回転して、切開手段でシールフィルムを切開した状態を示す要部縦断面図である。
【図４】図３に示す容器デバイスにおいて、キャップ体を回転して下縁部を容器本体の環状リブに当接させた状態を示す要部縦断面図である。
【図５】本発明の第２の実施の形態の容器デバイスにおいて、気密封止ユニットとキャップ体をセパレートした状態の要部縦断面図である。
【図６】図５に示す容器デバイスの気密封止ユニットをキャップ体と組み立てた状態の縦断面図である。
【図７】本発明の第３の実施の形態の容器デバイスに用いるキャップ体を示す要部縦断面図である。
【図８】図７に示す容器デバイスにおいて、カラーがキャップ体から離脱してからキャップ体を下向きに回転してその下縁部を容器本体の環状リブに当接させた状態を示す要部縦断面図である。
【図９】本発明の第４の実施の形態の容器デバイスにおいて、気密封止ユニットとキャップ体をセパレートした状態の要部縦断面図である。
【図１０】図９に示す容器デバイスにおいて、気密封止ユニットをキャップ体に組み立てた状態の要部縦断面図である。
【符号の説明】
３      容器本体
３０    本体
３００  貯蔵空間
３１    頚部
３１０  開口部
３１１  螺旋状部
３１２  環状リブ
３１３  上端面
３１４  環状突起
４      キャップ体
４０    環状本体
４００  上端面
４０１  内面部
４０２  下端面
４１    蓋部
４２    切開部材
４２０  チップ
４２１  カッチングエッジ
４３    第２の螺旋状部
４４    シーリングフィルム
４５    カラー
４６    密閉空間
５      溶液
６      溶質
【図１】
0003564032.tif 000002
【図２】
0003564032.tif 000003
【図３】
0003564032.tif 000004
【図４】
0003564032.tif 000005
【図５】
0003564032.tif 000006
【図６】
0003564032.tif 000007
【図７】
0003564032.tif 000008
【図８】
0003564032.tif 000009
【図９】
0003564032.tif 000010
【図１０】
0003564032.tif 000011